(57)【特許請求の範囲】
【請求項１】
建物の躯体開口部に設けた窓枠と、この窓枠内に設けた開き戸式の障子と、この障子の窓框を構成する戸先側の縦框における、これと対向する縦枠との対向面に突設され、窓框に設けた操作手段に連係されて上下方向に移動するロックピンと、前記縦枠における前記縦框との対向面に、前記ロックピンと対向するようにして取付けられ、前記ロックピンが進入可能なピン進入溝、およびピン進入溝の奥部と連続する上向きの係合溝を有するロックプレートとを備え、前記操作手段をロック位置に操作したとき前記ロックピンが前記ピン進入溝を介して上方に移動し、前記係合溝に進入することにより、前記障子が開くのを阻止しうるようにした開閉窓において、
前記縦框と縦枠における相互の対向面のいずれか一方に、係止ピンを突設するとともに、他方の対向面に、前記障子を閉戸したとき前記係止ピンが進入可能な上下方向を向く係止溝を有する下降防止プレートを取付け、ロック状態において前記障子が下降したとき、障子と共に下降する前記係止ピンの下端が前記下降防止プレートの係止溝の下縁に当接するか、または障子と共に下降する下降防止プレートの係止溝の上縁が係止ピンの上端に当接することにより、前記ロックピンが係合溝より離脱するのを阻止するようにしたことを特徴とする開閉窓。
【請求項２】
係止溝における係止ピンが進入する側の開口部に、係止溝の下縁と連続する上向きの突部または係止溝の上縁と連続する下向きの突部を突設し、係止溝の下縁または上縁に当接した係止ピンが係止溝より離脱するのを防止しうるようにしたことを特徴とする請求項１に記載の開閉窓。
【請求項３】
係止ピンと下降防止プレートとを、それぞれ、ロックプレートまたはロックピンと近接する位置に設けたことを特徴とする請求項１または２に記載の開閉窓。
【請求項４】
ロックプレートにおけるピン進入溝および係合溝の奥部に、係止溝を、前記ピン挿入溝及び係合溝と連続するようにして設けることにより、ロックプレートを下降防止プレートとして共用したことを特徴とする請求項１または２に記載の開閉窓。
【請求項５】
係止ピンを、その軸部より大径の頭部を有する有頭係止ピンとし、頭部が係止溝の縁部の裏面に係合するようにしたことを特徴とする請求項１〜４のいずれかに記載の開閉窓。
【請求項６】
係止ピン及び下降防止プレートを、外側から螺挿したねじにより、窓枠または窓框に取付けたことを特徴とする請求項１〜５のいずれかに記載の開閉窓。
【請求項７】
建物の躯体開口部に設けた窓枠と、この窓枠内に設けた開き戸式の障子と、この障子をロックするロック装置とを備える開閉窓において、
前記障子の窓框を構成する戸先側の縦框と、この縦框と対向する縦枠との両者における相互の対向面のいずれか一方に、係止ピンを突設するとともに、他方の対向面に、前記障子を閉戸したとき前記係止ピンが進入可能な上下方向を向く係止溝を有する下降防止プレートを取付け、ロック状態において前記障子が所定位置まで下降したとき、障子と共に下降する前記係止ピンの下端が前記下降防止プレートの係止溝の下縁に当接するか、または障子と共に下降する下降防止プレートの係止溝の上縁が係止ピンの上端に当接することにより、前記障子が所定位置より下降するのを阻止するようにし、かつ係止溝における係止ピンが進入する側の開口部に、係止溝の下縁と連続する上向きの突部または係止溝の上縁と連続する下向きの突部を突設し、係止溝の下縁または上縁に当接した係止ピンが係止溝より離脱するのを防止しうるようにしたことを特徴とする開閉窓。
【発明の詳細な説明】
【技術分野】
【０００１】
本発明は、窓枠に開閉可能に取付けられている障子が、火災発生時等に下降して、ロックが外れ、障子が開いたり脱落したりするのを防止しうるようにした開閉窓に関する。
【背景技術】
【０００２】
合成樹脂製の窓框にガラスを嵌め込んでなる障子を、合成樹脂製の窓枠に開閉可能に取付けた樹脂製の開閉窓においては、火災発生時において、窓の内外から迫る火炎による延焼や類焼をいかに防止するかが課題となっている。
すなわち、合成樹脂製の窓枠や窓框が、火炎または輻射熱により加熱されると、それらが軟化または炭化して、窓框を窓枠に開閉可能に枢着しているヒンジの取付部が変形し、障子が窓枠に対して下降することがある。このようになると、ヒンジの反対側の戸先において、障子を窓枠にロックしているロック装置の機能が失われ、障子が開いたり脱落したりして、類焼する恐れが大きくなる。
【０００３】
このような課題に鑑み、合成樹脂製の窓枠の中空部内に、セメント組成物よりなる耐火性のモルタル等を充填して硬化させ、熱変形を起こしにくい窓枠としたものがある(特許文献１参照)。
また、方形枠状の窓框を構成する框材の内部に、金属補強材を設けるとともに、コーナー部において隣接する金属補強材同士を、コーナー金具により連結し、窓枠の上枠に設けた金属補強材に受け金具を取付け、窓框の上部に設けた支持金具を上記受け金具に差し込むことにより、窓框が軟化した際に障子を吊り下げて支持するようにしたものもある(特許文献２参照)。
【先行技術文献】
【特許文献】
【０００４】
【特許文献１】特開２０１１−１２４９６号公報
【特許文献２】特許第４２２９２８６号公報
【発明の概要】
【発明が解決しようとする課題】
【０００５】
上記特許文献１に記載のもののように、窓枠の中空部内にモルタル等を充填すると、窓枠の製造コストが大となるだけでなく、その質量が増大するので、建物の躯体に窓枠を取付ける際の作業性が悪くなる。
特許文献２に記載の樹脂製窓においては、窓框の上部に設けた支持金具を、窓枠の上枠に設けた受け金具に差し込み、窓框が軟化した際に障子を吊り下げて、障子が下降及び脱落するのを防止するものであり、障子の開きを防止する対策は講じられていない。
そのため、上述したように、ヒンジの取付部が熱により変形して、障子を窓枠にロックしているロック装置の機能が失われた際に、障子が開いて類焼する恐れがある。
また、障子の脱落防止用の各部材の構造が複雑であるので、各部材を、既設の開閉窓に後から簡単に取付けることができないという問題もある。
【０００６】
本発明は、上記問題点に鑑みてなされたもので、構造が簡単で安価であるとともに、後付け可能な手段により、火災時等における障子の下降、脱落及び開きを防止しうるようにした開閉窓を提供することを目的としている。
【課題を解決するための手段】
【０００７】
本発明によると、上記課題は、次の各項のようにして解決される。
（１）建物の躯体開口部に設けた窓枠と、この窓枠内に設けた開き戸式の障子と、この障子の窓框を構成する戸先側の縦框における、これと対向する縦枠との対向面に突設され、窓框に設けた操作手段に連係されて上下方向に移動するロックピンと、前記縦枠における前記縦框との対向面に、前記ロックピンと対向するようにして取付けられ、前記ロックピンが進入可能なピン進入溝、およびピン進入溝の奥部と連続する上向きの係合溝を有するロックプレートとを備え、前記操作手段をロック位置に操作したとき前記ロックピンが前記ピン進入溝を介して上方に移動し、前記係合溝に進入することにより、前記障子が開くのを阻止しうるようにした開閉窓において、
前記縦框と縦枠における相互の対向面のいずれか一方に、係止ピンを突設するとともに、他方の対向面に、前記障子を閉戸したとき前記係止ピンが進入可能な上下方向を向く係止溝を有する下降防止プレートを取付け、ロック状態において前記障子が下降したとき、障子と共に下降する前記係止ピンの下端が前記下降防止プレートの係止溝の下縁に当接するか、または障子と共に下降する下降防止プレートの係止溝の上縁が係止ピンの上端に当接することにより、前記ロックピンが係合溝より離脱するのを阻止するようにする。
【０００８】
このような構成とすると、火災時等に窓の内外から窓枠や窓框が火炎により加熱されて、ヒンジの取付部が軟化し、ロック状態にある障子が窓枠に対し下降すると、係止ピンの下端が下降防止プレートの係止溝の下縁に当接するか、または下降防止プレートの係止溝の上縁が係止ピンの上端に当接することにより、障子は所定位置より下降するのが防止されて、ロックピンが係合溝より離脱するのが阻止される。従って、障子が脱落したり、ロック機能が失われて開かれたりすることはなく、火災発生時等において開閉窓の内外から迫る火炎により類焼する恐れがなくなる。
また、係止ピンと下降防止プレートよりなる構成の簡単な手段により、障子の下降や脱落、及び開くのを防止しうるので、安価な開閉窓を提供することができる。
【０００９】
（２）上記(１)項において、係止溝における係止ピンが進入する側の開口部に、係止溝の下縁と連続する上向きの突部または係止溝の上縁と連続する下向きの突部を突設し、係止溝の下縁または上縁に当接した係止ピンが係止溝より離脱するのを防止しうるようにする。
【００１０】
このような構成とすると、ロックピンが係合溝の下端よりも下降して、障子が開こうとすると、係止ピンが、係止溝の下縁と連続する上向きの突部または係止溝の上縁と連続する下向きの突部と当接するので、障子が開くのが確実に防止される。
【００１１】
（３）上記(２)項において、係止ピンと下降防止プレートとを、それぞれ、ロックプレートまたはロックピンと近接する位置に設ける。
【００１２】
このような構成とすると、障子が下降した際において、ロックプレートの係合溝からロックピンが離脱するのを確実に阻止することができる。
【００１３】
（４）上記(１)または(２)項において、ロックプレートにおけるピン進入溝および係合溝の奥部に、係止溝を、前記ピン挿入溝及び係合溝と連続するようにして設けることにより、ロックプレートを下降防止プレートとして共用する。
【００１４】
このような構成とすると、別部材としての下降防止プレートが不要となるので、部品点数及びコストを削減することができる。
【００１５】
（５）上記(１)〜(４)項のいずれかにおいて、係止ピンを、その軸部より大径の頭部を有する有頭係止ピンとし、頭部が係止溝の縁部の裏面に係合するようにする。
【００１６】
このような構成とすると、火災発生時等おいて、窓框や窓枠が軟化しても、窓框の外側面と窓枠の内側面との対向面間に隙間が発生しにくくなる。
【００１７】
（６）上記(１)〜(５)項のいずれかにおいて、係止ピン及び下降防止プレートを、外側から螺挿したねじにより、窓枠または窓框に取付ける。
【００１８】
このような構成とすると、係止ピン及び下降防止プレートを、既設の開閉窓の窓枠及び窓框に簡単に後付けしうるので、既設の開閉窓にも安価に防火対策を講じることができる。
【００１９】
（７）建物の躯体開口部に設けた窓枠と、この窓枠内に設けた開き戸式の障子と、この障子をロックするロック装置とを備える開閉窓において、
前記障子の窓框を構成する戸先側の縦框と、この縦框と対向する縦枠との両者における相互の対向面のいずれか一方に、係止ピンを突設するとともに、他方の対向面に、前記障子を閉戸したとき前記係止ピンが進入可能な上下方向を向く係止溝を有する下降防止プレートを取付け、ロック状態において前記障子が所定位置まで下降したとき、障子と共に下降する前記係止ピンの下端が前記下降防止プレートの係止溝の下縁に当接するか、または障子と共に下降する下降防止プレートの係止溝の上縁が係止ピンの上端に当接することにより、前記障子が所定位置より下降するのを阻止するようにし、かつ係止溝における係止ピンが進入する側の開口部に、係止溝の下縁と連続する上向きの突部または係止溝の上縁と連続する下向きの突部を突設し、係止溝の下縁または上縁に当接した係止ピンが係止溝より離脱するのを防止しうるようにする。
【００２０】
このような構成とすると、火災時等に窓の内外から窓枠や窓框が火炎により加熱されて、ロック状態にある障子が窓枠に対し下降すると、係止ピンの下端が下降防止プレートの係止溝の下縁に当接するか、または下降防止プレートの係止溝の上縁が係止ピンの上端に当接することにより、障子は所定位置より下降するのが防止される。また障子が開こうとすると、係止ピンが、係止溝の下縁と連続する上向きの突部または係止溝の上縁と連続する下向きの突部と当接するので、障子が開くのが確実に防止される。
従って、障子が脱落したり、ロック機能が失われて開かれたりすることはなく、火災発生時等において開閉窓の内外から迫る火炎により類焼する恐れがなくなる。
また、係止ピンと下降防止プレートよりなる構成の簡単な手段により、障子の下降を防止しうるので、安価な開閉窓を提供することができる。
【発明の効果】
【００２１】
本発明によれば、構造が簡単で安価な手段により、火災時等における障子の下降、脱落及び開きを防止しうるようにした開閉窓を提供することができる。
【図面の簡単な説明】
【００２２】
【図１】本発明の第１の実施形態を備える開閉窓を、室内側より見た正面図である。
【図２】図１のII−II線拡大横断平面図である。
【図３】窓枠の縦枠と窓框の縦框におけるロック部の拡大分解斜視図である。
【図４】図２のIV−IV線拡大縦断側面図である。
【図５】同じく、障子が下がったときの図２と同部位の縦断側面図である。
【図６】図４のVI−VI線拡大縦断面図である。
【図７】図５のVII−VII線拡大縦断面図である。
【図８】本発明の第２の実施形態を示す図３と同部位の分解斜視図である。
【図９】同じく、第３の実施形態を示す図４と同部位の縦断側面図である。
【図１０】同じく、障子が下がったときの縦断側面図である。
【発明を実施するための形態】
【００２３】
以下、本発明の実施形態を、図面に基づいて説明する。
図１は、本発明の第１の実施形態の開閉窓を、室内側より見た正面図、図２は、図１のII−II線拡大横断平面図で、この開閉窓は、建物の躯体１の開口部に取付けられた方形枠状の窓枠２と、この窓枠２に取付けられた室外側(図２の紙面上方)に開く障子３とを備えている。なお、以下において、開閉窓の前後は、室内側を前、室外側を後として説明する。
【００２４】
窓枠２は、塩化ビニル樹脂等の合成樹脂により成形された上枠４、下枠５、及び左右の縦枠６、６よりなり、それらに形成された長手方向の内部空間７内には、金属製の補強部材８が挿入されている。
【００２５】
障子３は、塩化ビニル樹脂等の合成樹脂により成形された上框９、下框１０及び左右の縦框１１、１１よりなる方形枠状の窓框１２と、この窓框１２内に、内外のシール材１３、１４を介して水密的に嵌め込まれた内外二重の窓ガラス１５、１６とを備えている。上框９、下框１０及び左右の縦框１１に形成された長手方向の内部空間１７には、金属製の補強部材１８が挿入されている。
【００２６】
窓枠２の室内側寄りの内面には、窓框１２における室内側の外周部が、シール部材１９を介して当接する内向突部６ａが突設されている。
また、窓框１２の室外側寄りの外面には、窓枠２における室外側の内周部が、シール部材１９を介して当接する外向突部１２ａが突設されている。
【００２７】
障子３は、左側の縦框１１における室外側寄りの側面を、窓枠２における左側の縦枠６の室外側の外面に、上下１対のヒンジ２０、２０をもって取付けることにより、室外側に開きうるようになっている。
【００２８】
図３にも示すように、窓框１２における戸先側の縦框１１の外側面のほぼ中央部には、開口部の対向面に互いに対向する上下方向の内向き突条２１、２１を突設することにより、開口部の内外方向の幅が奥部より小とした、外側方に開口する上下方向の凹部２２が形成されている。この凹部２２内には、アルミニウムまたはその合金よりなる上下方向を向くスライドプレート２３が、その前後両面に互いに背向するように設けた凹条２４、２４を、上記両内向き突条２１に摺動自在に嵌合して収容されている。なお、スライドプレート２３の上下寸法を、縦框１１のそれよりも所要寸法短寸として、スライドプレート２３は上下方向に移動しうるようにしてある。
スライドプレート２３と縦框１１の外側面同士は、同一面に整合するようにしてある。
【００２９】
スライドプレート２３は、戸先側の縦框１１の前面に装着されたハンドル２５(図１、図２参照)に、図示しない連係機構をもって連係され、ハンドル２５を下向きのロック位置に回動操作したとき、スライドプレート２３は上方に、同じく上向きのロック解除位置に回動操作したとき、下方に移動するようになっている。なお、スライドプレート２３とハンドル２５との連係機構は、本発明とは直接関係せず、また公知の機構であるので、その具体的な構成については省略する。
【００３０】
スライドプレート２３の外側面の上下両端部には、拡径頭部２６ａを有する有頭ねじ２６と、それに回転自在に嵌合された円筒形の軸部２７とからなる有頭ロックピン２８が、有頭ねじ２６をスライドプレート２３に螺合することにより、軸部２７が回転しうるようにして取り付けられている。また、この有頭ロックピン２８と対向する縦枠６の内側面には、有頭ロックピン２８が係脱可能なロックプレート２９が取り付けられている。このロックプレート２９と、上記スライドプレート２３及び有頭ロックピン２８により、障子３のロック装置を構成している。
なお、上下の有頭ロックピン２８及びロックプレート２９は、同一形状であるので、上方のものについてのみ図示し、下方のものは図示を省略する。
【００３１】
ロックプレート２９は、図４にも示すように、上部水平片２９ａ、下部水平片２９ｂ、前片２９ｃ、後片２９ｄ、及び縦框１１と対向する側の側片２９ｅよりなる、外側面(縦枠６側)が開放された概ね縦長のケース状をなし、上部水平片２９ａと下部水平片２９ｂとの縦枠６側の端縁には、それぞれ上方と下方を向くＬ字状の取付片３０、３０が、また、前片２９ｃにおける縦枠６側の端縁には、室内側を向く取付片３１が連設されている。
【００３２】
上下の取付片３０は、縦枠６の内側面に上下方向に向かって形成されたあり溝状の凹溝３２の奥面にねじ３３により固定され、取付片３１は、縦枠６の内側面の中央部にねじ３３により固定されている。なお、各取付片３０、３１に形成されたねじ３３の挿通孔は、上下方向を向く長孔３４とされ、ロックプレート２９の上下の取付位置を調整しうるようになっている。
【００３３】
ロックプレート２９の下部には、前片２９ｃの下半部と側片２９ｅの下部を切り欠くことにより、有頭ロックピン２８が進入可能な室外側が開放されたピン進入溝３５が形成されている。
また、ピン進入溝３５の上方において、側片２９ｅには、側面視下向きＵ字状の係合溝３６が、ピン進入溝３５と連続するようにして形成されている。係合溝３６の溝幅は、有頭ロックピン２８の軸部２７が上下方向に摺動しうるように、その外径と同等もしくは僅かに大とされている。図４は、障子３を閉めた状態で、ハンドル２５をロック位置に回動操作したときの状態を示すもので、ハンドル２５の操作と連動して、スライドプレート２３及びそれに取付けた有頭ロックピン２８が上方に移動することにより、有頭ロックピン２８の軸部２７が、ピン進入溝３５を介してロックプレート２９の係合溝３６内を上方に向かって摺動する。これにより、障子３の開き方向への移動が阻止されて、障子３が窓枠２にロックされる。
【００３４】
ロックプレート２９の上方かつ縦枠６の室内側寄りの内側面には、正面視外向きコ字状をなす障子３の下降防止プレート３７が、その上下の側縁より上方と下方に延出する取付片３７ａ、３７ａを、縦枠６の内側面に、ねじ３３をもって固定することにより、取り付けられている。なお、両取付片３７ａに形成されたねじ３３の挿通孔は、上下方向を向く長孔３４とされ、下降防止プレート３７の上下の取付位置を調整しうるようになっている。
【００３５】
下降防止プレート３７は、耐熱性の金属、例えばステンレス鋼により形成され、その側片３７ｂには、後記する有頭係止ピン４０が入り込む室外側が開口された側面視コ字状の係止溝３８が形成されている。この係止溝３８における室外側の開口部の下縁には、上向きの突部３９が突設されている。なお、下降防止プレート３７を上下反転させて、左右勝手違いとしても使用しうるように、開口部の上縁にも下向きの突部３９を突設してあるが、左右勝手違いとして使用しないときには、上部の突部３９は省略してもよい。
【００３６】
縦框１１における下降防止プレート３７と対向する外側面には、耐熱金属製の有頭係止ピン４０が、図２に示すように、補強部材１８まで達する長寸の皿ねじ４１により固定されている。図４に示すように、有頭係止ピン４０の軸部４０ａは、障子３を締めてロックした際に、下降防止プレート３７における係止溝３８の上下方向の中間部まで進入するようにしてある。また、このとき、拡径頭部４０ｂは、側片３７ｂの裏面と近接するようになっている。なお、この際の有頭係止ピン４０と有頭ロックピン２８との位置関係は、有頭係止ピン４０の軸部４０ａが係止溝３８の下縁と当接する位置まで下降しても、有頭ロックピン２８の軸部２７は、ロックプレート２９の係合溝３６の下端よりも上方に位置し、係合溝３６より後方に離脱しないようにしてある(図５参照)。
【００３７】
上記第１の実施形態の開閉窓において、火災時等に窓の内外から合成樹脂製の窓枠２や窓框１２が火炎により加熱されて、ヒンジ２０の取付部が軟化し、ロック状態にある障子３が窓枠２に対し下降すると、図４及び図６に示すように、下降防止プレート３７における係止溝３８の上下方向の中間部に位置している有頭係止ピン４０が、障子３と共に下降することにより、図５及び図７に示すように、軸部４０ａの下端が係止溝３８の下縁と当接する。これにより、障子３はそれ以上下降するのが阻止され、かつ上述したように、有頭ロックピン２８の軸部２７は、ロックプレート２９の係合溝３６の下端よりも上方に位置しているので、障子３のロック機能が失われて開かれることはなく、従って窓の内外から迫る火炎により類焼する恐れがなくなる。
【００３８】
また、万一、アルミニウムよりなるスライドプレート２３が熱により溶融し、有頭ロックピン２８が係合溝３６の下端よりも下降すると、ロックが外れる恐れがあるが、係止溝３８の室外側の開口部の下縁には、上向きの突部３９が突設されているので、障子３が開こうとすると、有頭係止ピン４０の軸部４０ａが、図５の矢印方向に移動して突部３９と当接するので、障子３が開くのが防止される。
【００３９】
図８は、本発明の第２の実施形態を示すもので、この実施形態では、上記第１の実施形態とは反対に、縦框１１側に下降防止プレート３７を、縦枠６側に有頭係止ピン４０を設けたものである。この実施形態では、障子３が沈降した際に、上記第１の実施形態とは反対に、有頭係止ピン４０の軸部４０ａの上端が、下降防止プレート３７の係止溝３８の上縁に当接することにより、障子３の下降が阻止される。
また、有頭係止ピン４０の軸部４０ａが、係止溝３８の開口部の上縁の下向きの突部３９に当接することにより、障子３が開くのが防止される。
【００４０】
図９及び図１０は、本発明の第３の実施形態を示す。
この実施形態においては、ロックプレートを下降防止プレートとしても共用しうるようにしたもので、上記実施形態のロックプレート２９よりも前後寸法を大としたロックプレート４２の前半部が、下降防止プレートとしての機能を有するようにしてある。
すなわち、ロックプレート４２の後半部に、上記実施形態と同様のピン進入溝３５と係合溝３６を形成するとともに、ロックプレート４２の側片４２ａの前半部に、ピン進入溝３５及び係合溝３６と連続する、有頭係止ピン４０が進入する側面視コ字状の係止溝３８を設けてある。係止溝３８の開口部の下縁には、上向きの突部４３が上向きに突設されている。
有頭係止ピン４０は、有頭ロックピン２８と接近するようにして、縦框１１の外側面に設けてある。
この第３の実施形態のようにすると、上記第１の実施形態のような、別部材としての下降防止プレート３７が不要となるので、部品点数及びコストを削減することができる。
【００４１】
障子３がロック状態にあるときには、図９に示すように、有頭ロックピン２８は、係合溝３６の上端付近に位置するとともに、有頭係止ピン４０は、係止溝３８の上下方向の中間部に位置している。この状態において、障子３が窓枠２に対し下降すると、図１０に示すように、有頭係止ピン４０の軸部４０ａの下端が、係止溝３８の下縁に当接することにより、障子３のそれ以上の下降が阻止され、かつ有頭ロックピン２８の軸部２７は、ロックプレート４２の係合溝３６の下端よりも上方に位置しているので、障子３が開くのが防止される。
また、軸部２７が係合溝３８の下端よりも下方に移動した状態で、障子３が開かれようとすると、上記実施形態と同様に、有頭係止ピン４０の軸部４０ａが突部４３と当接するので、上記実施形態と同様、障子３が開く恐れがない。
【００４２】
以上説明したように、上記のいずれの実施形態も、ヒンジ２０と反対側の縦框１１と縦枠６との対向面のいずれか一方に有頭係止ピン４０を、同じく他方に、障子３の下降時に有頭係止ピン４０が当接する係止溝３８を有する下降防止プレート３７を設けるだけの簡単な手段で、火災時等に障子３が下降して開くのを防止することができるので、安価で防火性の高い開閉窓を提供することができる。
また、下降防止プレート３７及び有頭係止ピン４０を、既設の開閉窓にも簡単に後付けしうるので、既設の開閉窓に対しても安価に防火対策を講じることができる。
【００４３】
本発明は、上述した室外側に開く開閉窓に限らず、室内側に開く開閉窓や、室外側に開く辷り出し開閉窓等にも適用することができる。
また、窓枠２及び窓框１２が、アルミニウムまたはその合金等により形成されている開閉窓にも適用することができる。
【符号の説明】
【００４４】
１  躯体
２  窓枠
３  障子
４  上枠
５  下枠
６  縦枠
６ａ内向突部
７  内部空間
８  補強部材
９  上框
１０  下框
１１  縦框
１２  窓框
１２ａ外向突部
１３  シール部材
１４  シール部材
１５  窓ガラス
１６  窓ガラス
１７  内部空間
１８  補強部材
１９  シール部材
２０  ヒンジ
２１  突条
２２  凹部
２３  スライドプレート
２４  凹条
２５  ハンドル(操作手段)
２６  有頭ねじ
２６ａ拡径頭部
２７  軸部
２８  有頭ロックピン
２９  ロックプレート
２９ａ上部水平片
２９ｂ下部水平片
２９ｃ前片
２９ｄ後片
２９ｅ側片
３０  取付片
３１  取付片
３２  凹溝
３３  ねじ
３４  長孔
３５  ピン進入溝
３６  係合溝
３７  下降防止プレート
３７ａ取付片
３７ｂ側片
３８  係止溝
３９  突部
４０  有頭係止ピン
４０ａ軸部
４０ｂ拡径頭部
４１  皿ねじ
４２  ロックプレート
４２ａ側片
４３  突部
【図１】
0006001307.tif 000002
【図２】
0006001307.tif 000003
【図３】
0006001307.tif 000004
【図４】
0006001307.tif 000005
【図５】
0006001307.tif 000006
【図６】
0006001307.tif 000007
【図７】
0006001307.tif 000008
【図８】
0006001307.tif 000009
【図９】
0006001307.tif 000010
【図１０】
0006001307.tif 000011